(57)【要約】【課題】移動しながら撮影された動画の再生を地図と連携させて表示する際に、ユーザが動画の撮影位置を地図情報上で認識できるとは限らない。【解決手段】撮影装置の移動にともなって撮影位置を記録しながら撮影された動画の再生を表示する装置であって、再生中の動画の前記撮影位置を取得する撮影位置取得手段と、少なくとも前記撮影位置が含まれる地図情報を取得する地図情報取得手段と、前記地図情報が表示されている領域の一部であって前記再生中の動画の前記撮影位置に対応する位置に前記動画を表示し、かつ前記再生中の動画の撮影位置が変化したら、変化後の撮影位置に対応する前記地図情報の上の位置に前記動画を表示する表示手段とを備える。【選択図】図２
2016144069.tif 000002
【特許請求の範囲】
【請求項１】
撮影装置の移動にともなって撮影位置を記録しながら撮影された動画の再生を表示する装置であって、
再生中の動画の前記撮影位置を取得する撮影位置取得手段と、
少なくとも前記撮影位置が含まれる地図情報を取得する地図情報取得手段と、
前記地図情報が表示されている領域の一部であって前記再生中の動画の前記撮影位置に対応する位置に前記動画を表示し、かつ
前記再生中の動画の撮影位置が変化したら、変化後の撮影位置に対応する前記地図情報の上の位置に前記動画を表示する表示手段と
を備えることを特徴とする動画表示装置。
【請求項２】
前記表示手段は、
前記動画を再生する領域と、地図情報の上の予め定めた重要な地図表記が重なる場合、前記動画を再生する領域の位置を、前記重要な地図表記と重ならない位置に変更することを特徴とする請求項１に記載の動画表示装置。
【請求項３】
再生中の動画の撮影方向を、取得する方向取得手段と、
前記地図情報の上に、前記撮影位置を始点とする前記撮影方向を表示する方向表示手段と
をさらに備え、
前記表示手段は、
前記撮影位置から見た前記撮影方向に、前記動画を再生する領域の位置を変更することを特徴とする請求項１又は２に記載の動画表示装置。
【請求項４】
前記地図情報の上に動画の撮影位置の軌跡を表示する第２の表示手段と、
指示体によって指定された前記軌跡の上の位置を検出する指定位置検出手段と
をさらに備え、
前記表示手段は、
指定された前記位置を撮影位置とする動画から再生を開始することを特徴とする請求項１乃至３のいずれか１項に記載の動画表示装置。
【請求項５】
第１の動画の撮影時刻と第２の動画の撮影時刻とを取得する時刻取得手段をさらに備え、
前記表示手段は、
前記第１の動画の撮影時刻と前記第２の動画の撮影時刻との差と、前記第１の動画の再生時刻と前記第２の動画の再生時刻との差とが、一致するように前記第１の動画と前記第２の動画とを再生することを特徴とする請求項１乃至４のいずれか１項に記載の動画表示装置。
【請求項６】
前記表示手段は、
前記第１の動画の撮影時間と前記第２の動画の撮影時間とが一致する時間帯のみ前記第１の動画及び前記第２の動画を再生することを特徴とする請求項５に記載の動画表示装置。
【請求項７】
前記表示手段は、
前記第１の動画の撮影時間と前記第２の動画の撮影時間とが一致する時間帯のみ前記第１の動画及び前記第２の動画の再生速度を変更することを特徴とする請求項５又は６に記載の動画表示装置。
【請求項８】
前記表示手段は、
前記動画を表示する領域の位置を固定し、前記動画の撮影位置に合わせて、前記地図情報を表示する位置を変更することを特徴とする請求項１乃至７のいずれか１項に記載の動画表示装置。
【請求項９】
撮影装置の移動にともなって撮影位置を記録しながら撮影された動画の再生を表示する方法であって、
再生中の動画の前記撮影位置を取得する撮影位置取得工程と、
少なくとも前記撮影位置が含まれる地図情報を取得する地図情報取得工程と、
前記地図情報が表示されている領域の一部であって前記再生中の動画の前記撮影位置に対応する位置に前記動画を表示し、かつ
前記再生中の動画の撮影位置が変化したら、変化後の撮影位置に対応する前記地図情報の上の位置に前記動画を表示する表示工程と
を含むことを特徴とする動画表示方法。
【請求項１０】
請求項１乃至８のいずれか１項に記載の動画表示装置が有する各手段としてコンピュータを機能させるためのプログラム。
【発明の詳細な説明】
【技術分野】
【０００１】
本発明はオペレータが移動しながら撮影した動画の再生を地図と連携させて表示する方法に関する。
【背景技術】
【０００２】
近年、動画の撮影が可能なデジタルカメラやデジタルビデオなどの撮影機器のネットワーク機能搭載に伴い、ＧＰＳ搭載の撮影機器からＧＰＳ情報等の位置情報が取得できるようになった。また、ＧＰＳ情報等の位置情報を使用して、位置情報に対応する地図情報を取得できるようになった。これによって、オペレータが移動しながら撮影した動画の位置情報と、位置情報に対応する地図情報を取得することで、動画の再生を地図と連携させて表示することが可能になった。
【０００３】
例えば、システムはオペレータが移動しながら撮影した動画を再生して表示モニタに表示する。そして、システムは動画から撮影時の位置情報を取得して、撮影時の位置の軌跡を前記表示モニタの異なる領域の地図情報上に表示する。この方法によれば、オペレータが移動しながら撮影したときの動画の撮影位置を地図情報上で認識することができる（例えば、特許文献１参照）。
【０００４】
また、別の方法では、システムは地図情報上にオペレータが移動しながら撮影した動画の複数の撮影位置の移動軌跡を表示する。そして、ユーザが地図情報上の複数の撮影位置の中からある撮影位置を選択すると、システムは選択された撮影位置に対応する再生位置の動画を地図情報上の固定領域に表示する。この方法によれば、オペレータが移動しながら撮影したときの動画の撮影位置と、各撮影位置で撮影された動画の内容を関連づけてユーザに提示することができる（例えば、特許文献２参照）。
【先行技術文献】
【特許文献】
【０００５】
【特許文献１】特開２０１０−１７１８３８号公報
【特許文献２】特開２０１１−９８４６号公報
【発明の概要】
【発明が解決しようとする課題】
【０００６】
しかしながら、上記従来技術の第１の方法の場合、システムは動画を再生して表示する領域と、地図を表示する領域は、同一の表示モニタ上の別々の領域に表示する。そのため、ユーザは両方の領域の表示を見なければならず、移動しながら撮影したときの動画の撮影位置を地図情報上で認識できるとは限らない。
【０００７】
また、上記従来技術の第２の方法ではシステムは動画の複数の撮影位置の移動軌跡を表示し、ユーザにより選択された撮影位置に対応する再生位置の動画を地図情報上の固定領域に表示する。動画を地図情報上の固定領域に表示するため、システムが動画の再生に合わせて地図情報上に動画の撮影位置を表示しないので、ユーザは動画の撮影位置を把握することができない。
【０００８】
本発明は上記の課題を解決するためになされたもので、移動しながら撮影した動画の撮影位置を容易に把握できる動画表示装置を提供することを目的とする。また、その方法及びプログラムを提供することを目的とする。
【課題を解決するための手段】
【０００９】
上記の目的を達成するために本発明による動画表示方法は以下の構成を備える。
即ち、撮影装置の移動にともなって撮影位置を記録しながら撮影された動画の再生を表示する装置であって、
再生中の動画の前記撮影位置を取得する撮影位置取得手段と、
少なくとも前記撮影位置が含まれる地図情報を取得する地図情報取得手段と、
前記地図情報が表示されている領域の一部であって前記再生中の動画の前記撮影位置に対応する位置に前記動画を表示し、かつ
前記再生中の動画の撮影位置が変化したら、変化後の撮影位置に対応する前記地図情報の上の位置に前記動画を表示する表示手段と
を備えることを特徴とする。
【発明の効果】
【００１０】
本発明によれば、動画を再生して表示する領域と、地図情報上の撮影位置を表示する領域を同一領域に表示するため、移動しながら撮影したときの動画の撮影位置が地図情報上の何処なのかを直感的に認識することができる。また、動画の再生に合わせて、地図情報上の撮影位置が移動するため、動画の撮影位置を容易に把握することができる。
【図面の簡単な説明】
【００１１】
【図１】実施形態を適用する動画表示装置を示す構成図である。
【図２】実施形態における動画表示装置の機能構成を示すブロック図である。
【図３】実施形態における動画表示装置の動作を示すフローチャートである。
【図４】実施形態における動画の撮影位置を示す図である。
【図５】実施形態１における地図情報上に動画の再生および動画の撮影位置を表示する一例である。
【図６】実施形態２における地図情報上の地図表記を優先する表示例である。
【図７】実施形態３における動画の撮影方向に応じて表示する一例である。
【図８】実施形態３における動画の撮影方向を示す図である。
【図９】実施形態４における地図情報上に動画の撮影位置の軌跡および動画の再生を表示する一例である。
【図１０Ａ】実施形態５における地図情報上に複数の動画の再生および動画の撮影位置を表示する一例である。
【図１０Ｂ】実施形態５における地図情報上に複数の動画の再生および動画の撮影位置を表示する一例である。
【図１１】実施形態５における第２の動画の撮影位置を示す図である。
【図１２】実施形態６における動画の表示位置を固定し、地図情報を変更する一例である。
【図１３】実施形態３における動画表示装置の機能構成を示すブロック図である。
【図１４】実施形態４における動画表示装置の機能構成を示すブロック図である。
【図１５】実施形態５における動画表示装置の機能構成を示すブロック図である。
【発明を実施するための形態】
【００１２】
［実施形態１］
実施形態１は、動画を再生して表示する領域と、地図情報上の撮影位置を表示する領域を同一領域に表示し、動画の再生に対応して、動画を再生して表示する領域が地図情報上の撮影位置を移動する場合について説明する。
以下、図面を参照して実施形態１を詳細に説明する。
【００１３】
図１は本発明の実施形態を適用する動画表示装置１００を示す構成図である。図１において、マイクロプロセッサＣＰＵ（Ｃｅｎｔｒａｌ  Ｐｒｏｃｅｓｓｉｎｇ  Ｕｎｉｔ）１０１は、情報処理のための演算、論理判断等を行い、システムバス１１０を介して、それらのバスに接続された各構成要素を制御する。読出し専用の固定メモリＲＯＭ（Ｒｅａｄ  Ｏｎｌｙ  Ｍｅｍｏｒｙ）１０２は、本実施形態で実行される処理プログラム等の制御プログラムコードを記憶する。
【００１４】
書き込み可能なＲＡＭ（Ｒａｎｄｏｍ  Ａｃｃｅｓｓ  Ｍｅｍｏｒｙ）１０３は、各構成要素からの各種データの一時記憶に用いられる。キーボード、マウス等の入力部１０４は、ユーザの指示が入力される。液晶パネル等の表示部１０６は、その表示部における動画再生および地図情報の表示を表示コントローラ１０５で制御する。外部記憶部１０７は、動画情報および地図情報が格納される。
また、これらのデータを格納する記憶媒体としては、メモリカード、ＨＤＤ（Ｈａｒｄ  Ｄｉｓｋ  Ｄｒｉｖｅ）、ＤＶＤ−ＲＡＭ（Ｄｉｇｉｔａｌ  Ｖｅｒｓａｔｉｌｅ  Ｄｉｓｋ  Ｒａｎｄｏｍ  Ａｃｃｅｓｓ  Ｍｅｍｏｒｙ）などを用いることができる。通信部１０８は、インターネット、ＬＡＮ（Ｌｏｃａｌ  Ａｒｅａ  Ｎｅｔｗｏｒｋ）、無線ＬＡＮなどの通信網１０９を介して動画情報および地図情報を取得することができる。
【００１５】
かかる各構成要素からなる動画表示装置においては、入力部１０４からの各種の入力及び通信部１０８から供給されるネットワーク経由の各種入力に応じて作動するものである。よって、入力部１０４からの入力及び通信部１０８からの入力が供給されると、まず、インタラプト信号がＣＰＵ１０１に送られる。そして、そのＣＰＵ１０１がＲＯＭ１０２、ＲＡＭ１０３、外部記憶部１０７に記憶してある各種の制御信号を読出し、それらの制御信号に従って、各種の制御が行われる。
【００１６】
また、本発明に係わるプログラムを格納した記憶媒体をシステムあるいは装置に供給し、そのシステムあるいは装置が、記憶媒体に格納されたプログラムコードを読み出し実行することによっても本発明は達成される。
【００１７】
図２は実施形態１における動画表示装置１００の機能構成を示すブロック図である。ここに示す構成はハードウェアとソフトウェアの組み合わせによって実現できるものであって、一つの機能ブロックが一つのハードウェアに対応するものではない。
図２に示すように、制御部２００は、動画指示部２０１、撮影位置取得部２０２、地図情報取得部２０３、及び動画地図表示部２０４を備える。動画指示部２０１は、動画の再生等を指示する。撮影位置取得部２０２は、動画指示部２０１で指示された再生する撮影時に記録された動画情報から撮影位置および撮影時刻を取得する。地図情報取得部２０３は、撮影位置取得部２０２で取得された動画の撮影位置に対応する地図情報を取得する。動画地図表示部２０４は、地図情報取得部２０３で取得された地図情報上に動画を再生表示する。
【００１８】
つまり、
撮影位置取得部２０２は、再生中の動画の前記撮影位置を取得する。
地図情報取得部２０３は、少なくとも撮影位置が含まれる地図情報を取得する。
動画地図表示部２０４は、
１）地図情報を表示し、かつ
２）地図情報が表示されている領域の一部であって再生中の動画の撮影位置に対応する位置に動画を表示し、かつ
３）再生中の動画の撮影位置が変化したら、変化後の撮影位置に対応する地図情報の上の位置に動画を表示する。
【００１９】
動画情報管理部２１０は、動画再生、撮影位置の判定および提示を行う。動画再生部２１１は、動画指示部２０１で指示された動画を再生する。撮影位置判定部２１２は、撮影位置取得部２０２の取得要求時の動画の撮影位置を判定する。撮影位置提示部２１３は、撮影位置判定部２１２で判定された動画の撮影位置を撮影位置取得部２０２に提示する。
【００２０】
地図情報管理部２２０は、地図情報の判定および提示を行う。地図情報判定部２２１は、撮影位置取得部２０２で取得された動画の撮影位置に対応する地図情報を判定する。地図情報提示部２２２は、地図情報判定部２２１で判定された地図情報を地図情報取得部２０３に提示する。
【００２１】
図３は本発明の実施形態における動画表示装置の動作を示すフローチャートである。
ステップＳ３０１では動画表示装置１００において、オペレータが移動しながら撮影した動画を動画指示部２０１の指示により動画再生部２１１で再生を開始する。再生する動画は動画表示装置１００の外部記憶部１０７に登録された動画でも良いし、通信部１０８を介して、クラウドサービスやＷｅｂサーバなど通信網１０９上のストレージに登録された動画でも良い。
ステップＳ３０２ではステップＳ３０１で再生中の動画に対して、撮影位置取得部２０２が動画の撮影位置を要求し、撮影位置判定部２１２は要求に対応する動画の位置を判定し、撮影位置提示部２１３で提示された動画の撮影位置を取得する。
【００２２】
例えば、図４に示すように撮影位置４０１は撮影時刻「２０１１／０８／１９  １３：４８：１２」の動画の撮影位置として、「北緯ａａ度ａ分ａａ．ａａ秒−東経ＡＡＡ度ＡＡ分ＡＡ．ＡＡ秒」を取得する。
撮影位置４０２は撮影時刻「２０１１／０８／１９  １３：４８：３０」の動画の撮影位置として、「北緯ｃｃ度ｃ分ｃｃ．ｃｃ秒−東経ＣＣＣ度ＣＣ分ＣＣ．ＣＣ秒」を取得する。
撮影位置４０３は撮影時刻「２０１１／０８／１９  １３：４８：５０」の動画の撮影位置として、「北緯ｅｅ度ｅ分ｅｅ．ｅｅ秒−東経ＥＥＥ度ＥＥ分ＥＥ．ＥＥ秒」を取得する。
【００２３】
ステップＳ３０３ではステップＳ３０２で取得された動画の撮影位置から撮影位置に対応する地図情報を変更するか否かを判定し、地図情報を変更する場合は処理をステップＳ３０４に進め、地図情報を変更しない場合は処理をステップＳ３０５に進める。例えば、地図情報を変更する場合として、動画の再生開始時や動画の撮影位置が前回取得した撮影位置から大きく異なり、撮影位置に対応する地図情報を再度取得する必要がある時などが該当する。
【００２４】
ステップＳ３０４ではステップＳ３０２で取得された動画の撮影位置から撮影位置に対応する地図情報を地図情報取得部２０３が要求し、地図情報判定部２２１は要求に対応する地図情報を判定し、地図情報提示部２２２で提示された地図情報を取得する。
ステップＳ３０５ではステップＳ３０４で取得された地図情報上のステップＳ３０２で取得された動画の撮影位置に対応するステップＳ３０１で指示された動画の再生表示を行う。
【００２５】
例えば、図５に示すように地図情報と、動画の撮影位置に対応する動作の再生は同一の表示部１０６の異なる領域に表示するのではなく、同一表示部の同一領域に表示する。地図情報５００上に、動画の再生を表示する動画表示ウィンドウを表示する。動画表示ウィンドウ５０１を表示するＡ地点では動画の撮影位置４０１に対応する動画の再生を表示する。動画表示ウィンドウ５０２を表示するＢ地点では動画の撮影位置４０２に対応する動画の再生を表示する。動画表示ウィンドウ５０３を表示するＣ地点では動画の撮影位置４０３に対応する動画の再生を表示する。
ここでは地図情報５００上に、動画の再生を表示する動画表示ウィンドウ５０１、５０２、５０３が表示されており、すなわち、同一領域に表示されている。
ステップＳ３０６では動画の再生が終了したか否かを判断し、再生が終了していない場合はステップＳ３０２に戻り、動画の再生を続ける。また、再生が終了した場合は処理を終了する。
【００２６】
実施形態１によれば、システムが動画を再生して表示する領域と、地図情報上の撮影位置を表示する領域を同一領域に表示し、動画の再生に対応して、動画を再生して表示する領域が地図情報上の撮影位置を移動する。そのため、ユーザは動画の撮影位置が地図情報上の何処なのかを直感的に認識することができる。また、動画の撮影位置を容易に把握することができる。
【００２７】
［実施形態２］
実施形態１では、動画を再生して表示する領域と、地図情報上の撮影位置を表示する領域を同一領域に表示し、動画の再生に対応して、動画を再生して表示する領域が地図情報上の撮影位置を移動した。
実施形態２では、動画の再生表示と地図情報上の重要な地図表記が重なる場合、地図情報上の重要な地図表記または動画の再生位置のどちらかを優先して表示する場合について説明する。
【００２８】
実施形態２では、動画の撮影位置に合わせて、動画の再生表示を行う動画表示ウィンドウが地図情報上の撮影位置を移動する際に、地図情報上の重要な地図表記を優先し、動画の再生位置を変更する。
このため、実施形態２では、動画地図表示部２０４は、動画を再生する領域と、地図情報の上の予め定めた重要な地図表記が重なる場合、動画を再生する領域の位置を、重要な地図表記と重ならない位置に変更する。
【００２９】
例えば、図６の地図情報６００は、地図情報５００と同一とし、Ａ地点は動画の撮影位置４０１に対応し、Ｂ地点は動画の撮影位置４０２に対応し、Ｃ地点は動画の撮影位置４０３に対応するものとする。この場合、動画表示ウィンドウ６０１は撮影位置４０１と同位置に表示し、動画表示ウィンドウ６０３は撮影位置４０３と同位置に表示する。
しかし、動画表示ウィンドウ６０２は地図情報上の重要な地図表記である「東京タワー」を動画の再生位置よりも優先し、「東京タワー」に重ならないように動画の再生位置を変更し、表示する。また、地図情報上の重要な地図表記としては「東京タワー」等のランドマークでも良いし、地名、地図記号でも良い。
【００３０】
また、これまでの説明は動画の再生位置よりも地図情報上の重要な地図表記を優先したが、地図情報上の重要な地図表記よりも動画の再生位置を優先し、動画の再生を表示することでも良い。
実施形態２によれば、動画の撮影位置に合わせて、動画の再生を表示する動画表示ウィンドウが地図情報上の撮影位置を移動する際に、地図情報上の重要な地図表記を優先し、動画の再生位置を変更することができる。そのため、ユーザは地図情報上で動画の撮影位置と共に重要な地図表記を容易に把握することができる。
【００３１】
［実施形態３］
実施形態１〜２では、動画を再生して表示する領域と、地図情報上の撮影位置を表示する領域を同一領域に表示し、動画の再生に対応して、動画を再生して表示する領域が地図情報上の撮影位置を移動することについて説明してきた。実施形態３では動画の撮影方向に応じて、動画の再生を表示する場合について説明する。
実施形態３では、動画の撮影位置に合わせて、再生表示を行う動画表示ウィンドウが地図情報上の撮影位置を移動する際に、動画の撮影方向に応じて、動画の再生位置を変更する。
【００３２】
図１３は、実施形態３における動画表示装置の機能構成を示すブロック図である。
制御部１３００と制御部２００との相違点は、制御部１３００が撮影方向取得部１３０２と撮影方向表示部１３０４をさらに備える点と、動画地図表示部１３０３が動画地図表示部２０４とは以下の点で相違するという点である。
【００３３】
撮影方向取得部１３０２は、再生中の動画の撮影方向を取得する。
撮影方向表示部１３０４は、地図情報の上に、撮影位置を始点とする撮影方向を表示する。
動画地図表示部１３０３は、地図情報の上の撮影位置に対応する位置を、動画を再生する領域の位置とするのではなく、撮影位置から見た撮影方向に、動画を再生する領域の位置を変更する。
【００３４】
動画情報管理部１３１０と動画情報管理部２１０との相違点は、動画情報管理部１３１０が撮影方向判定部１３１２と撮影方向提示部１３１３とを備える点である。撮影方向判定部１３１２は、撮影装置が撮影時に向いていた方向を判定する。撮影方向提示部１３１３は、撮影方向判定部１３１２によって判定された方向を制御部１３００に提示する。
【００３５】
例えば、図７の地図情報７００は、地図情報５００と同一とし、Ａ地点は動画の撮影位置４０１に対応し、Ｂ地点は動画の撮影位置４０２に対応し、Ｃ地点は動画の撮影位置４０３に対応するものとする。
この場合、Ａ地点での動画の撮影方向は「北」であるため、動画地図表示部１３０３は、撮影位置４０１（Ａ地点）から見た撮影方向（「北」）に動画を再生する領域（動画表示ウィンドウ７０１）の位置を変更する。
【００３６】
また、Ｂ地点での動画の撮影方向は「西」であるため、動画地図表示部１３０３は、撮影位置４０２（Ｂ地点）から見た撮影方向（「西」）に動画を再生する領域（動画表示ウィンドウ７０２）の位置を変更する。
また、Ｃ地点での動画の撮影方向は「南」であるため、動画地図表示部１３０３は、撮影位置４０３（Ｃ地点）から見た撮影方向（「南」）に動画を再生する領域（動画表示ウィンドウ７０３）の位置を変更する。
【００３７】
図８は動画の撮影方向を矢印で示す図である。例えば、地図情報を表示する際に、上方向を「北」として表示する場合、動画の撮影方向が「北」ならば動画の撮影位置から「上」方向の矢印で示す。また、動画の撮影方向が「西」ならば動画の撮影位置から「左」方向の矢印で示し、動画の撮影方向が「南」ならば動画の撮影位置から「下」方向の矢印で示し、動画の撮影方向が「東」ならば動画の撮影位置から「右」方向の矢印で示す。
【００３８】
実施形態３によれば、動画の撮影位置に合わせて、動画の再生を表示する動画表示ウィンドウが地図情報上の撮影位置を移動する際に、動画の撮影方向に応じて、動画の再生位置を変更することができる。そのため、ユーザは地図情報上で動画の撮影位置と共に撮影方向を容易に把握することができる。
【００３９】
［実施形態４］
実施形態１〜３では、動画を再生して表示する領域と、地図情報上の撮影位置を表示する領域を同一領域に表示し、動画の再生に対応して、動画を再生して表示する領域が地図情報上の撮影位置を移動することについて説明してきた。実施形態４では地図情報上に動画の撮影位置の軌跡を表示する場合について説明する。
実施形態４では、地図情報上に動画の撮影位置の軌跡を表示し、ユーザにより指定された動画の撮影位置から動画を再生して表示する領域が地図情報上の撮影位置を移動する。
【００４０】
図１４は、実施形態４における動画表示装置の機能構成を示すブロック図である。
制御部１４００と制御部２００との相違点は、制御部１４００が撮影軌跡表示部１４０１と指定位置検出部１４０２をさらに備える点と、動画地図表示部１４０３が動画地図表示部２０４とは以下の点で相違するという点である。
【００４１】
撮影軌跡表示部１４０１は、地図情報の上に動画の撮影位置の軌跡を表示する。
指定位置検出部１４０２は、指示体によって指定された前記軌跡の上の位置を検出する。指示体は、地図情報の上の位置を指定可能なものであれば良い。地図情報が表示される表示画面が、表示画面に対して指示体が接触又は近接した位置を検出可能な、いわゆるタッチパネルであれば、指示体は例えばユーザの指やスタイラス、タッチペン等である。タッチパネルとしては、例えば、感圧式、静電気式、光学式など、任意の方式のタッチパネルを使用できる。
動画地図表示部１４０３は、指定された位置を撮影位置とする動画から再生を開始する。
【００４２】
例えば、図９の地図情報９００には、複数の撮影位置を撮影時刻の順に結んだ撮影位置の軌跡を表示する。そして、地図情報がタッチパネルの上に表示され、図９（ａ）に示すように、ユーザの指によってＡ地点が指定されたことが検出された場合は、Ａ地点で撮影された動画から再生が開始され、Ａ地点で撮影された動画が動画表示ウィンドウ９０１に表示される。
【００４３】
更に、動画の撮影位置がＡ地点→Ｂ地点→Ｃ地点と移動する場合は、図９（ｂ）に示すように、Ｂ地点で撮影された動画を動画表示ウィンドウ９０２に表示し、図９（ｃ）に示すように、Ｃ地点で撮影された動画を動画表示ウィンドウ９０３に表示する。
【００４４】
実施形態４によれば、地図情報上に動画の撮影位置の軌跡を表示し、ユーザにより指定された動画の撮影位置から動画を再生して表示する領域が地図情報上の撮影位置を移動することができる。そのため、ユーザは地図情報上で動画の撮影位置の軌跡を容易に把握することができる。
【００４５】
［実施形態５］
実施形態１〜４では、１つの動画の場合について説明してきたが、実施形態５では複数の動画の場合について説明する。
実施形態５では、複数の動画の再生を表示する際に、複数の動画の撮影時刻を合わせて、動画の再生に対応して、複数の動画を再生して表示する領域が地図情報上の撮影位置を移動する。
【００４６】
図１５は、実施形態５における動画表示装置の機能構成を示すブロック図である。
制御部１５００と制御部２００との相違点は、制御部１５００が撮影時刻取得部１５０２をさらに備える点と、動画地図表示部１５０３が動画地図表示部２０４とは以下の点で相違するという点である。
【００４７】
撮影時刻取得部１５０２は、第１の動画の撮影時刻と第２の動画の撮影時刻とを取得する。
動画地図表示部１５０３は、第１の動画の撮影時刻と第２の動画の撮影時刻との差と、第１の動画の再生時刻と第２の動画の再生時刻との差とが、一致するように第１の動画と第２の動画とを再生する。
【００４８】
例えば、動画地図表示部１５０３は、第１の動画の撮影時刻と第２の動画の撮影時刻との差が＋１０秒であるなら、第１の動画の再生時刻と第２の動画の再生時刻との差も＋１０秒になるように第１の動画と第２の動画とを再生する。つまり、第１の動画の撮影時刻ａ時ｂ分ｃ秒で第２の動画の撮影時刻がａ時ｂ分（ｃ＋１０）秒であるなら、第１の動画の再生時刻がｄ時ｅ分ｆ秒のとき第２の動画をｄ時ｅ分（ｆ＋１０）秒に再生する。
【００４９】
例えば、図１０Ａ及び図１０Ｂの地図情報１０００は、地図情報５００と同一とし、Ａ地点は第１の動画の撮影位置４０１に対応し、Ｂ地点は第１の動画の撮影位置４０２に対応し、Ｃ地点は第１の動画の撮影位置４０３に対応するものとする。
【００５０】
また、図１１に示すように撮影位置１１０１は撮影時刻「２０１１／０８／１９  １３：４８：１７」の第２の動画の撮影位置として、「北緯ｆｆ度ｆ分ｆｆ．ｆｆ秒−東経ＦＦＦ度ＦＦ分ＦＦ．ＦＦ秒」を取得するものとする。
撮影位置１１０２は撮影時刻「２０１１／０８／１９  １３：４８：３０」の第２の動画の撮影位置として、「北緯ｃｃ度ｃ分ｃｃ．ｃｃ秒−東経ＣＣＣ度ＣＣ分ＣＣ．ＣＣ秒」を取得するものとする。
撮影位置４０３は撮影時刻「２０１１／０８／１９  １３：４８：４５」の動画の撮影位置として、「北緯ｉｉ度ｉ分ｉｉ．ｉｉ秒−東経ＩＩＩ度ＩＩ分ＩＩ．ＩＩ秒」を取得するものとする。
【００５１】
そして、図１０Ａ及び図１０ＢのＸ地点は第２の動画の撮影位置１１０１に対応し、Ｙ地点は第２の動画の撮影位置１１０２に対応し、Ｚ地点は第２の動画の撮影位置１１０３に対応するものとする。ここでは、図１０の地図情報１０００上に、最初に第１の動画の再生を表示する動画表示ウィンドウの表示を開始する。
【００５２】
第１の動画の撮影位置がＡ地点→Ｂ地点→Ｃ地点と移動する場合、動画表示ウィンドウ１００１を表示するＡ地点での動画の撮影位置に対応する動画の再生を表示する（図１０Ａ（ａ））。更に、動画表示ウィンドウ１００２を表示するＢ地点での動画の撮影位置に対応する動画の再生を表示する（図１０Ａ（ｃ））。そして、動画表示ウィンドウ１００３を表示するＣ地点での動画の撮影位置に対応する動画の再生を表示する（図１０Ｂ（ｅ））。
【００５３】
また、第２の動画の再生を表示する動画表示ウィンドウの表示は、第１の動画の撮影時刻に合わせるため、第１の動画の５秒後に表示を開始し、２８秒間表示し、第１の動画より５秒早く表示を終了する。
第１の動画の再生開始５秒後に、第２の動画の再生が開始されるとは、具体的には以下のとおりである。
第１の動画の撮影開始時刻が１３：４８：１２で、第２の動画の撮影開始時刻が１３：４８：１７であるから、第１の動画の再生開始時刻を００：００：００とすると、第２の動画の再生開始時刻は００：００：０５となる。
【００５４】
また、第２の動画が２８秒間表示されて、第１の動画より５秒早く表示を終了するとは、具体的には以下のとおりである。
第１の動画の撮影開始時刻が１３：４８：１２で、第２の動画の撮影終了時刻は１３：４８：４５であるから、第１の動画の再生開始時刻を００：００：００とすると、第２の動画の再生終了時刻は００：００：３３となる。
つまり、第２の動画の再生時間は００：００：０５から００：００：３３までの２８秒間となる。
【００５５】
また、第１の動画の撮影開始時刻が１３：４８：１２で、第１の動画の撮影終了時刻は１３：４８：５０であるから、第１の動画の再生開始時刻を００：００：００とすると、第１の動画の再生終了時刻は００：００：３８となる。
第２の動画の再生終了時刻００：００：３３であるから、第２の動画は第１の動画よりも５秒早く表示を終了する。
【００５６】
第２の動画の撮影位置がＸ地点→Ｙ地点→Ｚ地点と移動する場合、動画表示ウィンドウ１０１１を表示するＸ地点での動画の撮影位置に対応する動画の再生を表示する（図１０Ａ（ｂ））。更に、動画表示ウィンドウ１０１２を表示するＹ地点での動画の撮影位置に対応する動画の再生を表示する（図１０Ａ（ｃ））。そして、動画表示ウィンドウ１０１３を表示するＺ地点での動画の撮影位置に対応する動画の再生を表示する（図１０Ｂ（ｄ））。
【００５７】
また、これまでの説明は地図情報上に複数の動画表示ウィンドウを表示したが、複数の動画の撮影時間が一致する時間帯のみの動画表示ウィンドウを表示することでも良い。例えば、図１０の第１の動画と第２の動画では、動画の撮影時間が一致する２８秒間（２０１１／０８／１９  １３：４８：１７〜２０１１／０８／１９  １３：４８：４５）のみの動画表示ウィンドウを表示する。
【００５８】
また、複数の動画の撮影時間が一致した時間帯のみの動画の動画表示ウィンドウの再生速度を変更し、表示することでも良い。
例えば、地図情報上に１つの動画の撮影位置が存在したら、動画表示ウィンドウを通常の再生速度で表示し、地図情報上に複数の動画の撮影位置が存在したら、動画表示ウィンドウを通常よりも遅い再生速度であるスロー再生で表示する。図１０の第１の動画と第２の動画では、第１の動画の最初の５秒間（２０１１／０８／１９  １３：４８：１２〜２０１１／０８／１９  １３：４８：１７）の動画表示ウィンドウを通常の再生速度で表示する。そして、その後２８秒間は第１の動画と第２の動画の動画表示ウィンドウを通常よりも遅い再生速度であるスロー再生で表示する。
【００５９】
実施形態５によれば、複数の動画の再生を表示する際に、複数の動画の撮影時間を合わせて、動画の再生に対応して、複数の動画を再生して表示する領域が地図情報上の撮影位置を移動することができる。そのため、ユーザは複数の動画の撮影位置が地図情報上の何処なのかを直感的に認識することができる。また、複数の動画の撮影位置を容易に把握することができる。
【００６０】
［実施形態６］
実施形態１〜５では、動画を再生して表示する領域が地図情報上の撮影位置を移動する場合について説明してきたが、実施形態６では動画を再生して表示する領域を固定し、動画の再生に対応して、地図情報を変更する場合について説明する。
実施形態６では、動画の再生表示を行う動画表示ウィンドウの表示位置を固定し、動画の撮影位置に合わせて、地図情報を変更する。地図情報を変更するのは、動画の再生開始時や動画の撮影位置が前回取得した撮影位置から変更があり、撮影位置に対応する地図情報を再度取得する必要がある時などが該当する。
【００６１】
例えば、図１２の動画の再生を表示する動画表示ウィンドウ１２００を表示する座標１２０１を指定する。動画表示ウィンドウ１２００の表示位置は座標１２０１に固定し、動画を再生する。動画の撮影位置が４０１→４０２→４０３へと移動したとする。
また、図１２（ａ）〜（ｃ）に示すように、動画の撮影位置４０１に対応する地図情報が１２１０、動画の撮影位置４０２に対応する地図情報が１２１１、動画の撮影位置４０３に対応する地図情報が１２１２であるとする。
【００６２】
その際に、動画の再生に合わせて、動画の撮影位置に対応する地図情報を１２１０→１２１１→１２１２へとスライドしながら表示する。ここでは地図情報１２１０、１２１１、１２１２上に、動画の再生を表示する動画表示ウィンドウ１２００が座標１２０１に表示されており、すなわち、同一領域に表示されている。
実施形態６によれば、動画の再生表示を行う動画表示ウィンドウの表示位置を固定し、動画の撮影位置に合わせて、地図情報を変更することができる。そのため、ユーザは動画の表示位置が固定されているため、動画再生の視認性を向上することができる。
【００６３】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００６４】
２００  制御部
２０１  動画指示部
２０２  撮影位置取得部
２０３  地図情報取得部
２０４  動画地図表示部
２１０  動画情報管理部
２１１  動画再生部
２１２  撮影位置判定部
２１３  撮影位置提示部
２２０  地図情報管理部
２２１  地図情報判定部
２２２  地図情報提示部
【図１】
2016144069.tif 000003
【図２】
2016144069.tif 000004
【図３】
2016144069.tif 000005
【図４】
2016144069.tif 000006
【図５】
2016144069.tif 000007
【図６】
2016144069.tif 000008
【図７】
2016144069.tif 000009
【図８】
2016144069.tif 000010
【図９】
2016144069.tif 000011
【図１１】
2016144069.tif 000012
【図１２】
2016144069.tif 000013
【図１３】
2016144069.tif 000014
【図１４】
2016144069.tif 000015
【図１５】
2016144069.tif 000016
【図１０Ａ】
2016144069.tif 000017
【図１０Ｂ】
2016144069.tif 000018